(57)【要約】【課題】  セパレートタイプの印刷システムにおいて、データを供給する供給装置で設定した設定テープ幅と、テープ印刷装置に装着した装着テープ幅とが異なる場合であっても、格別の支障を生じさせることなく印刷を強行可能な印刷システム、印刷システムのデータ処理方法、プログラムおよび記憶媒体を提供する。【解決手段】  供給装置ＤＳにおいて、予め設定した設定テープ幅ＶＷと、テープ印刷装置１から報告された装着テープ幅ＴＷとの間でテープ幅が異なるときに、設定テープ幅ＶＷに合うように用意（記憶）された基本画像データを、装着テープ幅ＴＷに合うように変形して、変形画像データを作成し、テープ幅が異なるときには変形画像データを印刷画像データとして、インタフェースＩＦを介してテープ印刷装置１に供給し、テープ印刷装置１において、その印刷画像データに基づく印刷画像をテープに印刷する。【選択図】  図２
2005078128.tif 000002
【特許請求の範囲】
【請求項１】
インタフェースを介して印刷画像データを供給する供給装置と、
前記インタフェースを介して供給された前記印刷画像データに基づく印刷画像をテープに印刷するテープ印刷装置と、
を備えた印刷システムであって、
前記テープ印刷装置は、装着された前記テープのテープ幅を装着テープ幅として前記供給装置に報告するテープ幅報告手段を有し、
前記供給装置は、
予め設定した設定テープ幅に合う基本画像データを記憶する基本画像記憶手段と、
前記設定テープ幅と前記装着テープ幅と間でテープ幅が異なるときに、前記基本画像データを前記装着テープ幅に合うように変形して、変形画像データを作成する変形画像作成手段と、
前記変形画像データを前記印刷画像データとして、前記テープ印刷装置に供給する画像データ供給手段と、
を有することを特徴とする印刷システム。
【請求項２】
前記供給装置は、
前記印刷画像の印刷指示を行う印刷指示手段と、
前記印刷指示が行われ且つ前記テープ幅が異なるときに、前記印刷指示をキャンセル可能な印刷指示キャンセル手段と、
前記印刷指示が行われ且つ前記テープ幅が異なるときに、前記印刷画像の印刷の強行を指示する印刷強行指示が可能な印刷強行指示手段と、
をさらに有し、
前記画像データ供給手段は、前記印刷強行指示が行われたときに、前記変形画像データを前記印刷画像データとして供給することを特徴とする、請求項１に記載の印刷システム。
【請求項３】
前記変形画像作成手段は、
前記基本画像データに基づく基本画像の前記設定テープ幅相当分の幅を、前記装着テープ幅相当分の幅まで拡大または縮小するように、前記基本画像データを変形して、前記変形画像データを作成する画像拡大縮小手段と、
前記設定テープ幅が前記装着テープ幅以上の場合、前記基本画像データから前記装着テープ幅相当分を抽出して、前記変形画像データを作成し、前記設定テープ幅が前記装着テープ幅未満の場合、前記基礎画像データに前記装着テープ幅相当分まで拡幅するための余白幅データを付加して、前記変形画像データを作成する画像幅抽出付加手段と、
の少なくともいずれかを有することを特徴とする、請求項１または２に記載の印刷システム。
【請求項４】
前記変形画像作成手段は、
前記画像拡大縮小手段と前記画像幅抽出付加手段との双方を有するとともに、
前記テープ幅が異なるときに、前記変形画像データの作成に前記画像拡大縮小手段による変形方法と前記画像幅抽出付加手段による変形方法とのいずれを採用するか選択する変形方法選択手段をさらに有することを特徴とする、請求項３に記載の印刷システム。
【請求項５】
前記テープ印刷装置は、
前記供給装置の前記変形方法選択手段と同一の変形方法の選択が可能な変形方法選択手段と、
その変形方法選択手段による選択結果を前記供給装置に報告する変形方法報告手段と、
をさらに有することを特徴とする、請求項４に記載の印刷システム。
【請求項６】
前記画像幅抽出付加手段は、
前記変形画像データに基づく変形画像と前記基本画像との幅方向における位置関係を設定するための選択手段として、
前記設定テープ幅が前記装着テープ幅以上の場合の、前記基本画像の幅方向における前記変形画像の位置を、複数の選択肢から選択する抽出印刷位置選択手段と、
前記設定テープ幅が前記装着テープ幅未満の場合の、前記変形画像の幅方向における前記基本画像の位置を、複数の選択肢から選択する基本印刷位置選択手段と、
の少なくともいずれかを有することを特徴とする、請求項３ないし５のいずれかに記載の印刷システム。
【請求項７】
前記複数の選択肢には、前記テープ幅方向の一方の端を基準端、他方の端を対向端とし、それらの中央を中心線としたときの、各画像の前記基準端を一致させる基準端側位置と、各画像の前記対向端を一致させる対向端側位置と、各画像の中心線を一致させる中央位置と、が含まれることを特徴とする、請求項６に記載の印刷システム。
【請求項８】
前記抽出印刷位置選択手段の複数の選択肢には、ｎ≧（前記設定テープ幅÷前記装着テープ幅）となる自然数ｎにより、前記基本画像の幅を均等分割したときのｎ個の分割画像のそれぞれを、前記変形画像内に配置するように指定可能なｎ個の選択肢が含まれることを特徴とする、請求項６または７に記載の印刷システム。
【請求項９】
前記テープ印刷装置は、
前記供給装置の前記抽出印刷位置選択手段と同一の前記テープ幅方向における位置の選択が可能な抽出印刷位置選択手段と、
前記供給装置の前記基本印刷位置選択手段と同一の前記テープ幅方向における位置の選択が可能な基本印刷位置選択手段と、
の少なくともいずれかを有するとともに、
その選択結果を前記供給装置に報告する印刷位置報告手段と、
をさらに有することを特徴とする、請求項６ないし８のいずれかに記載の印刷システム。
【請求項１０】
前記供給装置は、前記基本画像データを記憶した記憶媒体を装着可能な装着手段をさらに有することを特徴とする、請求項１ないし９のいずれかに記載の印刷システム。
【請求項１１】
前記供給装置は、所定のネットワークを介して他の装置と接続され、前記他の装置から前記基本画像データを受信可能な上位通信手段を有することを特徴とする、請求項１ないし１０のいずれかに記載の印刷システム。
【請求項１２】
供給装置からインタフェースを介してテープ印刷装置に供給する印刷画像データに基づいて、テープに対して印刷画像を印刷する印刷システムのデータ処理方法であって、
前記テープ印刷装置により、装着された前記テープのテープ幅を装着テープ幅として前記供給装置に報告するテープ幅報告工程と、
前記供給装置内に、予め設定した設定テープ幅に合う基本画像データを記憶する基本画像記憶工程と、
前記供給装置により、前記設定テープ幅と前記装着テープ幅と間でテープ幅が異なるときに、前記基本画像データを前記装着テープ幅に合うように変形して、変形画像データを作成する変形画像作成工程と、
前記供給装置により、前記変形画像データを前記印刷画像データとして、前記テープ印刷装置に供給する画像データ供給工程と、
を備えたことを特徴とする印刷システムのデータ処理方法。
【請求項１３】
請求項１ないし１１のいずれかに記載の印刷システムの各手段を機能させることを特徴とするプログラム。
【請求項１４】
請求項１２に記載の印刷システムのデータ処理方法を実行可能なことを特徴とするプログラム。
【請求項１５】
請求項１３または１４に記載のプログラムを、プログラム処理可能な印刷システムによって読出可能に記憶することを特徴とする記憶媒体。
【発明の詳細な説明】
【技術分野】
【０００１】
本発明は、印刷画像データを供給する供給装置と供給された印刷画像データに基づく印刷画像をテープに印刷する印刷装置（テープ印刷装置）とを備えたセパレートタイプのテープ印刷装置である印刷システム、印刷システムのデータ処理方法、プログラムおよび記憶媒体に関する。
【背景技術】
【０００２】
従来のこの種の印刷システム（セパレートタイプのテープ印刷装置）においては、印刷画像データを用意（作成〜記憶等）する段階で設定したテープ幅（設定テープ幅：仮想テープ幅）と、実際にテープ印刷装置に装着したテープのテープ幅（装着テープ幅）と、が同一でない場合、その旨を表示することにより、設定テープ幅に合致するテープ（実際にはそのテープを収容したテープカートリッジ（カセット））の装着を、ユーザに促すようにしている（例えば、特許文献１参照）。また、そのまま印刷を実行した場合、装着テープ幅に合わない印刷画像データの供給によりテープ印刷装置（特にサーマルタイプの印刷ヘッドやプラテン等）に支障が生じたり、余分なデータ通信等のために無駄な処理時間を要する、などの問題点があることも知られている。
【特許文献１】特許第３３７８６２２号公報
【発明の開示】
【発明が解決しようとする課題】
【０００３】
しかしながら、設定テープ幅と同一のテープ幅を有するテープ（テープカートリッジ）が、常に手元に用意されているとは限らず、他のテープ幅のテープでも良いから、所望の印刷画像を印刷したテープ（あるいはそれをカットして作成したラベル）がすぐに欲しい場合がある。かといって、すぐに用意できる（あるいはすでに装着済みの）テープに合うように、設定テープ幅を設定し直し、それに合う画像データを改めて用意するのは、面倒であり、また、困難な場合も多い。さらに、セパレートタイプのテープ印刷装置である印刷システムでは、供給装置とテープ印刷装置とが離れて（別の部屋等に）置かれている場合もあり、そのような場合、テープ印刷装置側で用意できる（装着可能な）テープカートリッジ等の種類を、供給装置側で把握しにくいこともある。
【０００４】
本発明は、セパレートタイプの印刷システムにおいて、データを供給する供給装置で設定した設定テープ幅と、テープ印刷装置に装着した装着テープ幅とが異なる場合であっても、格別の支障を生じさせることなく印刷を強行可能な印刷システム、印刷システムのデータ処理方法、プログラムおよび記憶媒体を提供することを目的とする。
【課題を解決するための手段】
【０００５】
本発明の印刷システムは、インタフェースを介して印刷画像データを供給する供給装置と、前記インタフェースを介して供給された前記印刷画像データに基づく印刷画像をテープに印刷するテープ印刷装置と、を備えた印刷システムであって、前記テープ印刷装置は、装着された前記テープのテープ幅を装着テープ幅として前記供給装置に報告するテープ幅報告手段を有し、前記供給装置は、予め設定した設定テープ幅に合う基本画像データを記憶する基本画像記憶手段と、前記設定テープ幅と前記装着テープ幅と間でテープ幅が異なるときに、前記基本画像データを前記装着テープ幅に合うように変形して、変形画像データを作成する変形画像作成手段と、前記変形画像データを前記印刷画像データとして、前記テープ印刷装置に供給する画像データ供給手段と、を有することを特徴とする。
【０００６】
また、本発明のデータ処理方法は、供給装置からインタフェースを介してテープ印刷装置に供給する印刷画像データに基づいて、テープに対して印刷画像を印刷する印刷システムのデータ処理方法であって、前記テープ印刷装置により、装着された前記テープのテープ幅を装着テープ幅として前記供給装置に報告するテープ幅報告工程と、前記供給装置内に、予め設定した設定テープ幅に合う基本画像データを記憶する基本画像記憶工程と、前記供給装置により、前記設定テープ幅と前記装着テープ幅と間でテープ幅が異なるときに、前記基本画像データを前記装着テープ幅に合うように変形して、変形画像データを作成する変形画像作成工程と、前記供給装置により、前記変形画像データを前記印刷画像データとして、前記テープ印刷装置に供給する画像データ供給工程と、を備えたことを特徴とする。
【０００７】
この印刷システムおよびそのデータ処理方法では、供給装置において、予め想定して設定した設定テープ幅と、テープ印刷装置から報告された装着テープ幅との間でテープ幅が異なるときに、設定テープ幅に合うように用意（記憶）された基本画像データを、装着テープ幅に合うように変形して、変形画像データを作成し、その変形画像データを印刷画像データとして（テープ幅が同一のときには基本画像データまたは変形画像データを印刷画像データとして）、インタフェースを介してテープ印刷装置に供給する。この場合、印刷画像データとして供給される画像データは、両テープ幅が同一のときはもちろんのこと、テープ幅が異なるときにも、装着テープ幅に適合する画像データとなるので、格別な支障を生じることはない。すなわち、設定テープ幅と異なる装着テープ幅（のテープ）しか用意できない場合であっても、そのような事態を予め考慮した印刷画像に変形できるように、画像データの変形方法（印刷画像の変形方法：所定の印刷方法）を定めておけば、格別の支障を生じさせることなく印刷を強行可能になる。例えば用意できる広幅のテープに狭幅の印刷画像（に余白幅を付加したもの）を印刷するようにして、印刷後に余分な余白幅をカットしたり、用意できる狭幅のテープに所望の印刷画像の幅方向の一部を抽出して印刷し、異なる一部ずつを複数枚に印刷できるようにして、複数枚の貼り合わせにより結果として所望の幅の印刷画像のテープ（ラベル）を作成（入手）できるようにしたり、あるいは装着テープ幅に合うように拡大／縮小する仕様にしても良い。これらの画像の変形により、セパレートタイプの印刷システムにおいて、データを供給する供給装置で設定した設定テープ幅と、テープ印刷装置に装着した装着テープ幅とが異なる場合であっても、格別の支障を生じさせることなく印刷を強行可能になる。
【０００８】
また、上述の各印刷システムにおいて、前記供給装置は、前記印刷画像の印刷指示を行う印刷指示手段と、前記印刷指示が行われ且つ前記テープ幅が異なるときに、前記印刷指示をキャンセル可能な印刷指示キャンセル手段と、前記印刷指示が行われ且つ前記テープ幅が異なるときに、前記印刷画像の印刷の強行を指示する印刷強行指示が可能な印刷強行指示手段と、をさらに有し、前記画像データ供給手段は、前記印刷強行指示が行われたときに、前記変形画像データを前記印刷画像データとして供給することが好ましい。
【０００９】
この印刷システムでは、供給装置において、印刷指示が行われ且つテープ幅が異なるときに、印刷指示をキャンセルしたり、印刷画像の印刷の強行を指示すること（印刷強行指示）ができるので、便利であるのに加え、印刷強行指示が行われたときに、変形画像データを印刷画像データとして供給するので、装着テープ幅に適合する画像データを供給することになり、格別な支障を生じることはない。
【００１０】
また、上述の各印刷システムにおいて、前記変形画像作成手段は、前記基本画像データに基づく基本画像の前記設定テープ幅相当分の幅を、前記装着テープ幅相当分の幅まで拡大または縮小するように、前記基本画像データを変形して、前記変形画像データを作成する画像拡大縮小手段と、前記設定テープ幅が前記装着テープ幅以上の場合、前記基本画像データから前記装着テープ幅相当分を抽出して、前記変形画像データを作成し、前記設定テープ幅が前記装着テープ幅未満の場合、前記基礎画像データに前記装着テープ幅相当分まで拡幅するための余白幅データを付加して、前記変形画像データを作成する画像幅抽出付加手段と、の少なくともいずれかを有することが好ましい。
【００１１】
この印刷システムでは、供給装置において、基本画像の幅を設定テープ幅相当分から装着テープ幅相当分まで拡大または縮小するように変形する画像の拡大・縮小による変形方法と、基本画像データから装着テープ幅相当分を抽出（または他の部分を削除）したり、基礎画像データに装着テープ幅相当分まで拡幅するための余白幅データを付加するように変形する画像幅の抽出・付加による変形方法と、の少なくともいずれかの変形方法を採用でき、これにより、テープ幅が異なるときにも、装着テープ幅に適合する画像データを印刷画像データとして、格別の支障を生じさせることなく印刷を強行可能になる。
【００１２】
また、上述の印刷システムにおいて、前記変形画像作成手段は、前記画像拡大縮小手段と前記画像幅抽出付加手段との双方を有するとともに、前記テープ幅が異なるときに、前記変形画像データの作成に前記画像拡大縮小手段による変形方法と前記画像幅抽出付加手段による変形方法とのいずれを採用するか選択する変形方法選択手段をさらに有することが好ましい。
【００１３】
この印刷システムでは、上述の画像の拡大・縮小による変形方法と画像幅の抽出・付加による変形方法とのいずれかを選択して採用できる。
【００１４】
また、上述の印刷システムにおいて、前記テープ印刷装置は、前記供給装置の前記変形方法選択手段と同一の変形方法の選択が可能な変形方法選択手段と、その変形方法選択手段による選択結果を前記供給装置に報告する変形方法報告手段と、をさらに有することが好ましい。
【００１５】
この印刷システムでは、テープ印刷装置においても、上述の画像の拡大・縮小による変形方法と画像幅の抽出・付加による変形方法とのいずれかを選択でき、その選択結果を供給装置に報告できるので、いずれかの変形方法を、テープ印刷装置側の選択に従って採用することもできる。なお、供給装置側とテープ印刷装置側の双方で選択可能とする場合、供給装置側の選択結果とテープ印刷装置側の選択結果とのどちらを優先するかは、仕様上、任意に決めれば良く、一方を他方で選択されなかった場合のデフォルト指定の選択としても良いし、優先順位をつけず直近に選択した側の選択結果を採用する仕様にしても良い。
【００１６】
また、前記画像幅抽出付加手段を有する上述の各印刷システムにおいて、前記画像幅抽出付加手段は、前記変形画像データに基づく変形画像と前記基本画像との幅方向における位置関係を設定するための選択手段として、前記設定テープ幅が前記装着テープ幅以上の場合の、前記基本画像の幅方向における前記変形画像の位置を、複数の選択肢から選択する抽出印刷位置選択手段と、前記設定テープ幅が前記装着テープ幅未満の場合の、前記変形画像の幅方向における前記基本画像の位置を、複数の選択肢から選択する基本印刷位置選択手段と、の少なくともいずれかを有することが好ましい。
【００１７】
この印刷システムでは、上述の画像幅の抽出・付加による変形方法において、基本画像から抽出する変形画像の幅方向の位置（変形画像の抽出位置）や、基本画像に余白を付加した変形画像内の基本画像の位置（基本画像の配置位置）を、複数の選択肢から選択できる。この場合、例えば変形画像の抽出位置を選択できれば、用意できる狭幅のテープに、所望の印刷画像（この場合、基本画像）の幅方向の異なる位置の一部ずつを抽出して、複数枚に印刷することにより、結果として所望の幅の印刷画像のテープ（またはそれをカットしてラベル）を作成できる。また、例えば基本画像の配置位置を選択できれば、用意できる広幅のテープの任意の位置に基本画像を配置して印刷した後に、余分な余白幅をカットすることにより、結果として所望の幅の印刷画像のラベルを作成できる。
【００１８】
また、上述の印刷システムにおいて、前記複数の選択肢には、前記テープ幅方向の一方の端を基準端、他方の端を対向端とし、それらの中央を中心線としたときの、各画像の前記基準端を一致させる基準端側位置と、各画像の前記対向端を一致させる対向端側位置と、各画像の中心線を一致させる中央位置と、が含まれることが好ましい。
【００１９】
この印刷システムでは、複数の選択肢には、各画像のテープ幅方向の一端である基準端を一致させる基準端側位置、他端である対向端を一致させる対向端側位置と、各画像の中心線を一致させる中央位置と、が含まれるので、これらのいずれかを選択するだけで、所望の抽出位置あるいは配置位置の変形画像データを容易に作成でき、所望の印刷画像を容易に印刷できる。
【００２０】
前記抽出印刷位置選択手段を有する上述の各印刷システムにおいて、前記抽出印刷位置選択手段の複数の選択肢には、ｎ≧（前記設定テープ幅÷前記装着テープ幅）となる自然数ｎにより、前記基本画像の幅を均等分割したときのｎ個の分割画像のそれぞれを、前記変形画像内に配置するように指定可能なｎ個の選択肢が含まれることが好ましい。
【００２１】
上述の変形画像の抽出を行う場合、設定テープ幅≧装着テープ幅なので、設定テープ幅÷装着テープ幅（以下「設定テープ幅／装着テープ幅」）≧１となる。ここで、ｎ≧設定テープ幅／装着テープ幅となる自然数ｎを考え、基本画像の幅をｎ個に均等分割すれば、各分割画像の幅は設定テープ幅／ｎなので、必然的に装着テープ幅以下の幅となり、装着テープ幅を有する変形画像に配置可能な幅となる。この印刷システムでは、上述の変形画像の抽出位置の複数の選択肢には、上記のｎ個の分割画像のそれぞれを、変形画像内に配置するように指定可能なｎ個の選択肢が含まれるので、これらを順次選択して印刷すれば、用意できる狭幅のテープに、所望の印刷画像の幅方向の少なくともｎ分の１（１／ｎ）ずつを抽出して、ｎ枚に印刷することになる。このため、そのｎ枚の貼り合わせにより、結果として所望の印刷画像の全幅分を印刷したテープ（またはそれをカットしてラベル）を、作成できる。なお、ｎ＝３のときの各選択肢の一例である１／３〜３／３（３分割の１番目〜３番目）は、例えば前述の基準端側位置、中央位置、対向端側位置の各選択肢に対応する。
【００２２】
前記抽出印刷位置選択手段と前記基本印刷位置選択手段との少なくともいずれかを有する上述の各印刷システムにおいて、前記テープ印刷装置は、前記供給装置の前記抽出印刷位置選択手段と同一の前記テープ幅方向における位置の選択が可能な抽出印刷位置選択手段と、前記供給装置の前記基本印刷位置選択手段と同一の前記テープ幅方向における位置の選択が可能な基本印刷位置選択手段と、の少なくともいずれかを有するとともに、その選択結果を前記供給装置に報告する印刷位置報告手段と、をさらに有することが好ましい。
【００２３】
この印刷システムでは、テープ印刷装置においても、上述の変形画像の抽出位置や基本画像の配置位置を、複数の選択肢から選択でき、その選択結果を供給装置に報告できるので、テープ印刷装置側の選択に従った抽出位置や配置位置の印刷画像を印刷することもできる。なお、この場合も、供給装置側とテープ印刷装置側の双方で選択可能とするときの優先順位は、仕様上、任意に決めれば良く、一方をデフォルト指定としても良いし、優先順位をつけずに直近選択側の選択結果を採用しても良い。
【００２４】
また、上述の各印刷システムにおいて、前記供給装置は、前記基本画像データを記憶した記憶媒体を装着可能な装着手段をさらに有することが好ましい。
【００２５】
この印刷システムでは、供給装置において、基本画像データを記憶した記憶媒体を装着できるので、各種の記憶媒体を装着するだけで、新たな各種の基本画像（データ）を記憶（用意）することができ、セパレートタイプでありながらも、さらに多様な印刷画像を印刷でき、種々のラベル作成を簡易且つ迅速に行うことができる。
【００２６】
また、上述の各印刷システムにおいて、前記供給装置は、所定のネットワークを介して他の装置と接続され、前記他の装置から前記基本画像データを受信可能な上位通信手段を有することが好ましい。
【００２７】
この印刷システムでは、供給装置は、所定のネットワークを介して他の装置と接続され、他の装置から基本画像データを受信可能なので、各種の装置から受信するだけで、さらに新たな各種の基本画像（データ）を記憶（用意）でき、セパレートタイプでありながらも、さらに多様な印刷画像を印刷でき、種々のラベル作成を簡易且つ迅速に行うことができる。
【００２８】
また、本発明のプログラムは、上述のいずれかの印刷システムの各手段を機能させることを特徴とする。
【００２９】
また、本発明の別のプログラムは、上述のデータ処理方法を実行可能なことを特徴とする。
【００３０】
これらのプログラムは、プログラム処理可能な印刷システムによって処理されることにより、セパレートタイプの印刷システムにおいて、データを供給する供給装置で設定した設定テープ幅と、テープ印刷装置に装着した装着テープ幅とが異なる場合であっても、格別の支障を生じさせることなく印刷を強行可能になる。
【００３１】
また、本発明の記憶媒体は、上述した各プログラムを、プログラム処理可能な印刷システムによって読出可能に記憶することを特徴とする。
【００３２】
プログラム処理可能な印刷システムにおいて、この記憶媒体に記憶されたプログラムを読み出して実行することにより、セパレートタイプの印刷システムにおいて、データを供給する供給装置で設定した設定テープ幅と、テープ印刷装置に装着した装着テープ幅とが異なる場合であっても、格別の支障を生じさせることなく印刷を強行可能になる。
【発明の効果】
【００３３】
上述のように、本発明の印刷システム、印刷システムのデータ処理方法、プログラムおよび記憶媒体によれば、セパレートタイプの印刷システムにおいて、データを供給する供給装置で設定した設定テープ幅と、テープ印刷装置に装着した装着テープ幅とが異なる場合であっても、格別の支障を生じさせることなく印刷を強行可能になる、などの効果がある。
【発明を実施するための最良の形態】
【００３４】
以下、本発明の一実施形態に係る印刷システムについて、添付図面を参照しながら詳細に説明する。
【００３５】
図１および図２に示すように、この印刷システムＳＹＳは、全体として１つのテープ印刷装置（セパレートタイプのテープ印刷装置）と見ることもできるように構成され、データサーバ（供給装置）ＤＳと、テープ印刷装置１と、を備え、インタフェースＩＦを介して接続されている。
【００３６】
まず、データサーバＤＳは、テープ印刷装置１に対して、印刷対象の印刷画像データを供給するものである。このため、データサーバＤＳは、例えば図１に示す第１の構成では、ネットワークＮＷを中心に、端末となる複数のワークステーションＷＳ（パソコンＰＣ等）１〜３やターミナルアダプタ（ルータ、リピータ、ハブ等を含む）ＴＡ等を接続して構成され、これらの端末のいずれかからインタフェースＩＦを介して、あるいはネットワークＮＷから直接のインタフェースＩＦとして、テープ印刷装置１と接続される。
【００３７】
この場合のネットワークＮＷとしては、ＩＥＥＥ標準ＬＡＮ準拠の通信プロトコルに従ったもの、例えばいわゆるインターネットや各種のローカルエリアネットワーク（ＬＡＮ：イーサネット（登録商標）、１０／１００ベース（Base）等）が採用できる。また、端末を介するインタフェースＩＦとしては、シリアルデータ通信（ＲＳ−２３２Ｃ、ＵＳＢ、ＩＥＥＥ１３９４等）でも、パラレルデータ通信（セントロニクス等）でも良い。なお、これらは有線通信の規格であるが、無線通信を利用することも可能である。
【００３８】
あるいは、より単純な構成として、データサーバＤＳを、スタンドアロンタイプの装置としても良い。例えば図２に示す第２の構成では、スタンドアロンのパソコンＰＣとテープ印刷装置１とを、ＵＳＢ等のインタフェースＩＦで接続するだけで、印刷システムＳＹＳを構成できる。
【００３９】
次に、図３および図４に示すように、テープ印刷装置１は、装置ケース（装置本体）２により外殻が形成され、装置ケース２の前部上面には各種入力キーから成るキーボード３を備えている。また、後部上面には、その左部に開閉蓋２１が取り付けられ、その右部にはディスプレイ４が配設されている。また、装置ケース２の左側部には、ポケット（テープ装着部）６と装置外部とを連通するスリット状のテープ排出口２２が形成され、テープ排出口２２には、送りだした印刷用テープ（以下単に「テープ」）Ｔを切断するテープカッタ１３２が臨んでいる。
【００４０】
また、図５に示すように、テープ印刷装置１は、単体（スタンドアロン）のテープ印刷装置と同様の構成に、データ供給インタフェース（ＤＳ−ＩＦ）１６を付加した構成と成っていて、ＤＳ−ＩＦ１６は、例えば図２の第２の構成では、ＵＳＢ仕様（プロトコル）に基づいて（ＵＳＢケーブルによる）インタフェースＩＦからＵＳＢコネクタ２５を介してデータサーバＤＳとの通信を行うものであり、データサーバＤＳからの各種データ（印刷画像データ等）を受信するための受信バッファ１６１を有している。
【００４１】
すなわち、制御系から見た基本的な構成として、キーボード３やディスプレイ４を有してユーザとのインタフェースを行う操作部１１と、印刷ヘッド（サーマルヘッド）７やテープ送り部１２０を有してポケット６内に装着したテープカートリッジＣのテープＴに印刷を行う印刷部１２と、印刷後のテープＴの切断を行う切断部１３と、各種センサを有して各種検出を行う検出部１４と、各種ドライバを有して各部回路を駆動する駆動部１５と、上述のＤＳ−ＩＦ１６と、テープ印刷装置１内の各部を制御する制御部２０と、を備えている。
【００４２】
このため、装置ケース２の内部には、印刷部１２、切断部１３、検出部１４などの他、図外の回路基板が収納されている。この回路基板には、電源ユニットの他、駆動部１５や制御部２０の各回路などが搭載され、ＡＣアダプタ接続口や外部から着脱可能なニッカド電池等の電池（図示省略）に接続されている。
【００４３】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００４４】
図４および図５に示すように、印刷部１２には、開閉蓋２１の内側に、テープカートリッジＣを装着するためのポケット６が設けられていて、テープカートリッジＣはこの開閉蓋２１を開放した状態でポケット６に対して着脱される。また、テープカートリッジＣの裏面には、相異なる幅等のテープＴの種別を識別できるように小さな複数の孔（図示せず）が設けられ、ポケット６には、この孔の有無を検出するマイクロスイッチなどのテープ識別センサ１４１が設けられていて、テープＴの有無（正確にはテープカートリッジＣが装着されているか否か）およびテープＴの種別（正確にはテープカートリッジＣの種別）を検出できるようになっている。
【００４５】
テープカートリッジＣには、カートリッジケース５１の内部に一定の幅（４．５ｍｍ〜４８ｍｍ程度）のテープＴとインクリボンＲとが収容されており、印刷ヘッド７が臨む貫通開口５５が形成されている。テープＴは、裏面に粘着面が形成され、それが剥離紙によって覆われた構成になっている。また、テープＴとインクリボンＲとが重なる部分には、ヘッドユニット６１に内蔵された印刷ヘッド７に対応して、プラテンローラ（プラテン）５６が収納されている。テープカートリッジＣが装着された状態で、印刷ヘッド７が貫通開口５５から露出しているインクリボンＲの裏面に当たり、発熱駆動されて所望の文字などがテープＴの表面に印刷される。
【００４６】
テープ送り部１２０は、ポケット６の側方から下方に亘る空間に配設され、動力（駆動）源として送りモータ１２１を備えている。テープカートリッジＣがポケット６に装着され、その状態で開閉蓋２１が閉塞されると、送りモータ１２１を駆動源として、テープリール５２からテープＴが繰り出され、リボン繰出リール５３からインクリボンＲが繰り出され、貫通開口５５の位置で印刷ヘッド７がテープＴとインクリボンＲとを挟み込んでプラテン５６に当接して、テープＴとインクリボンＲが相互に重なり合った状態で走行し、同期して印刷ヘッド７が駆動されて印刷が行われる。その後、インクリボンＲが内部でテープ巻取リール５４に巻き取られるとともに、テープＴのみがテープカートリッジＣの外部に排出され、プラテン５６の回転（リボン巻取リール５４も同期回転する）が所定時間続行することで、テープＴのテープ送りが続行され、テープ排出口２２を介して装置外部に送り出され、テープＴ上の所定の切断位置がテープカッタ１３２の位置まで送られる。
【００４７】
切断部１３は、テープカッタ１３２と、これを切断動作させるカッタモータ１３１と、を備えている。また、モード設定によって、自動／手動を切替可能であり、任意長印刷などの場合には手動（マニュアル）のカットキーの操作で、定長印刷などの場合には自動（オート）で、カッタモータ１３１を駆動する。検出部１４は、前述のテープ識別センサ１４１を備える他、装置内各部に各種のセンサ等を備えている。駆動部１５は、ディスプレイドライバ１５１と、ヘッドドライバ１５２と、モータドライバ１５３と、を備えている。ディスプレイドライバ１５１は、制御部２０から出力される制御信号に基づき、その指示に従って、操作部１１のディスプレイ４を駆動する。同様に、ヘッドドライバ１５２は、印刷部１２の印刷ヘッド７を駆動し、モータドライバ１５３は、印刷部１２の送りモータ１２１や切断部１３のカッタモータ１３１などの各モータを駆動する。
【００４８】
操作部１１は、キーボード３とディスプレイ４とを備えている。ディスプレイ４は、横方向（Ｘ方向）約６cm×縦方向（Ｙ方向）４cmの長方形の形状の内側に、９６ドット×６４ドットの表示画像データを表示可能な表示画面４１と、各種設定状況等を表示する１８個のインジケータ（図示省略）とを有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００４９】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。
【００５０】
機能キー群３２には、電源キー、印刷動作を指示するための印刷キー、テキスト入力時のデータ確定や改行および選択画面における各種モードの選択指示のための選択キー、各種操作を取り消すための取消キー、各種処理を中止したり確定後の文字等を必要に応じて削除する削除キー、前述した手動カットのためのカットキー、並びに、それぞれ上下左右の方向へのカーソル移動や表示画面４１の表示範囲を移動させるための４個のカーソルキーなどが含まれる。なお、これらは、各キー入力毎に個別にキーを設けて入力しても良いし、シフトキー等と組み合わせてより少ない数のキーを用いて入力しても良い。キーボード３は、これらの各種キーにより種々の指令およびデータを制御部２０に入力する。
【００５１】
制御部２０は、ＣＰＵ２１０、ＲＯＭ２２０、ＲＡＭ２３０、周辺制御回路（Ｐ−ＣＯＮ）２４０を備え、互いに内部バス２５０により接続されている。ＲＯＭ２２０は、ＣＰＵ２１０で処理する制御プログラムを記憶する制御プログラム領域２２１の他、装置内で用意している文字等（数字、記号、図形等を含む）のフォントデータや色変換テーブルや文字修飾テーブルなどを記憶する制御データ領域２２２を有している。ＲＡＭ２３０は、電源オフ時のバックアップがされていて、各種フラグ・レジスタ群２３１、テキストデータ領域２３２、表示画像データ領域２３３、印刷画像データ領域２３４、描画登録画像データ領域２３５、外字登録画像データ領域２３６、文字展開バッファ、印刷バッファなどの各種バッファ領域２３７などの領域を有し、各種処理の作業領域として使用される。
【００５２】
Ｐ−ＣＯＮ２４０には、ＣＰＵ２１０の機能を補うとともに周辺回路とのインタフェース信号を取り扱うための論理回路や種々の計時を行うタイマ等の機能回路などが、ゲートアレイやカスタムＬＳＩなどにより構成されて組み込まれている。このため、Ｐ−ＣＯＮ２４０は、検出部１４の各種センサやキーボード３やＤＳ−ＩＦ１６と接続され、検出部１４からの各種検出信号やキーボード３からの各種指令や入力データなどの他、インタフェースＩＦを介してデータサーバＤＳからの制御信号や各種（ダウンロード）データなどを、そのままあるいは加工して内部バス２５０に取り込むとともに、ＣＰＵ２１０と連動して、ＣＰＵ２１０等から内部バス２５０に出力されたデータや制御信号を、そのままあるいは加工して駆動部１５やＤＳ−ＩＦ１６に出力する。
【００５３】
そして、ＣＰＵ２１０は、上記の構成により、ＲＯＭ２２０内の制御プログラムに従って、Ｐ−ＣＯＮ２４０を介して各種検出信号、各種指令、各種データ等を入力し、ＲＯＭ２２０やＲＡＭ２３０内の各種データ等を処理し、Ｐ−ＣＯＮ２４０を介して駆動部１５やＤＳ−ＩＦ１６に制御信号を出力することにより、データサーバＤＳとの間でインタフェースＩＦを介して各種制御信号や各種データの通信（送受信）を行いながら、印刷の位置制御や表示画面４１の表示制御等を行うとともに、印刷ヘッド７を制御して所定の印刷条件でテープＴに印刷するなど、テープ印刷装置１全体を制御している。
【００５４】
次に、テープ印刷装置１の制御全体の処理フローについて、図６を参照して説明する。電源キーを押すこと（電源オン）により処理が開始すると、同図に示すように、まず、前回の電源オフ時の状態に戻すために、退避していた各制御フラグを復旧するなどの初期設定を行い（Ｓ１）、次に、前回の表示画面を初期画面として表示する（Ｓ２）。
【００５５】
同図のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力その他による割込を許可し、何らかの割込が発生するまでは、そのままの状態を維持し（Ｓ３：Ｎｏ）、何らかの割込が発生すると（Ｓ３：Ｙｅｓ）、それぞれの割込処理に移行して（Ｓ４）、その割込処理が終了すると、再度、その状態を維持する（Ｓ３：Ｎｏ）。
【００５６】
上述のように、テープ印刷装置１では、主な処理を割込処理により行うので、印刷画像作成などの準備ができていれば、ユーザが任意の時点で印刷キーを押すことにより、印刷処理割込が発生して、印刷処理が起動され、印刷画像データに基づいて印刷画像の印刷ができる。すなわち、印刷に至るまでの操作手順は、ユーザが任意に選択できる。
【００５７】
例えば図７に示すように、カーソルＫまでの１行目の文字（キャラクタ）列「ＡＢＣＤＥ」を入力後のテキスト編集画面表示の状態で（画面Ｄ１０：以下、表示画面４１の状態を画面Ｄｘｘとし、Ｄｘｘのみで説明および図示する。）、ユーザにより印刷キーが押されると、「印刷中」のメッセージの表示とともに（Ｄ１１）、文字列「ＡＢＣＤＥ」の文字列画像を印刷画像Ｇ００として印刷し、設定に応じてカットしてラベルＬ００を作成し（同図（ｂ）参照）、印刷が終了すると、元のテキスト編集画面に戻る（Ｄ１２：Ｄ１０と同じ）。なお、テープ印刷装置１では、ユーザは、キー入力による各種指示を取消キーにより取り消すことができ、例えば上述の状態（Ｄ１１）から取消キーを押すことにより、元のテキスト編集画面の表示状態（Ｄ１０）に戻すことができる。
【００５８】
以上のように、本実施形態のテープ印刷装置１では、スタンドアロンの形態で、所望の文字列（上記の「ＡＢＣＤＥ」等）を編集して印刷できるが、前述のように、本実施形態のデータサーバＤＳ側で用意した印刷画像データに基づく印刷ができ、前述の図１の構成（第１の構成）では、データサーバＤＳ内の各装置（ＷＳ１〜３、ＴＡ等）に用意（記憶）された印刷画像データを（ダウンロード等により）供給して印刷する構成となり、図２の構成（第２の構成）では、例えばパソコンＰＣ（データサーバＤＳ）に記憶された印刷画像データを供給して印刷する構成となる。
【００５９】
以下では、比較的単純な図２の第２の構成の印刷システムＳＹＳについて、主に説明する。
【００６０】
ここで、例えばデータサーバＤＳにおいて、いわゆるウィンドウ画面として表示された各種ワープロソフトや各種エディタ（テキストエディタ等）のテキスト編集画面、あるいはいわゆる図形ソフト等のイメージ編集画面、などを、以下単に「編集画面」と総称する。また、上記テキスト編集画面上で、図７（ａ）で上述（のＤ１０）と同様の文字列「ＡＢＣＤＥ」を入力した状態、あるいは上記イメージ編集画面上で文字列「ＡＢＣＤＥ」を入力し、同図（ｂ）と同様のイメージが描かれている状態、などを、以下、「編集画面上で文字列「ＡＢＣＤＥ」を入力・編集した状態」等のように表現する。また、各機能キーの押下やマウスに代表される各種ポインティングデバイスによるポインティングを、以下、マウスポインタで指示してクリックする操作（指示方法）で代表して、単に「クリック」と表現する。
【００６１】
そして、上述の「編集画面上で文字列「ＡＢＣＤＥ」を入力・編集した状態」において、ユーザにより、例えばメニューバー（またはツールバー）のメニューである「ファイル」の「印刷」が指示（選択、クリック）され、指定プリンタとしてテープ印刷装置１が選択指示されると、データサーバＤＳでは、「印刷中」のメッセージ表示等と共にあるいはバックグラウンド（非表示）で、指示された「印刷」を実行し、文字列「ＡＢＣＤＥ」の印刷画像Ｇ００の印刷画像データと、所要のカットの種類およびタイミング（ここでは図７（ｂ）のテープ送り方向の後端に対してフルカット）を指示するカット指示データ（カット指示信号）とを、インタフェースＩＦを介して送信する。
【００６２】
これに対して、テープ印刷装置１では、ＤＳ−ＩＦ１６によって印刷画像Ｇ００の印刷画像データおよびカット指示信号を受信しながら、その印刷画像Ｇ００を印刷し、後端のフルカットによりラベルＬ００を作成する。
【００６３】
なお、仕様上、印刷画像Ｇ００を作成するためのデータ（テキストデータ等）を、そのまま、データサーバＤＳからインタフェースＩＦを介してテープ印刷装置１に送信し、テープ印刷装置１側で印刷画像Ｇ００（の印刷画像データ）の作成からラベル作成までを実行するように、規定しても良い。また、実施形態では、データサーバＤＳとテープ印刷装置１とのインタフェースは、各種データであるか制御信号であるかに拘わらず、インタフェースＩＦを介するものとするが、各種制御信号の授受（指示、送受信）の系統をインタフェースＩＦとは別に設けても良い。
【００６４】
ところで、上述のように、データサーバＤＳ側で印刷画像データ（あるいはその元になるテキストデータ）を用意する場合であっても、スタンドアロンのテープ印刷装置１で行う場合と同様に、ユーザは、印刷対象としての所望のテープ幅を想定し、編集画面等における編集等の前提としてそのテープ幅を設定し、設定されたテープ幅（以下「設定テープ幅」）に合わせて印刷画像データ等を作成（あるいは記憶媒体等からロード）して用意する。
【００６５】
また、上記の設定テープ幅とは別に、データサーバＤＳにおいても、実際にテープ印刷装置１に装着されたテープＴのテープ幅（以下「装着テープ幅」）を確認できるようになっている。すなわち、テープ印刷装置１では、前述のテープ識別センサ１４１によって、テープ幅を含むテープＴの種別を検出できるので、その検出結果をデータサーバＤＳにインタフェースＩＦを介して報告する。
【００６６】
なお、この場合の報告の情報の形態は、装着されたテープＴの種類（より具体的にはテープカートリッジＣの種類）に基づいてテープ印刷装置１において装着テープ幅まで取得（分析）してから「装着テープ幅」の情報として報告しても良いし、テープＴやテープカートリッジＣの種類の情報のまま報告し、データサーバＤＳ側で分析しても良い。また、報告のタイミングは、テープ印刷装置１において新たなテープカートリッジＣを装着する毎に報告し、データサーバＤＳ側でその情報を保持しておいても良いし、データサーバＤＳ側で必要になった時点でテープ印刷装置１に対して要求し、その時点で報告するようにしても良い。
【００６７】
そして、データサーバＤＳでは、ユーザのオプション選択に応じて、この設定テープ幅の値と装着テープ幅の値とを対比して表示する。この場合、例えば図８に示すように、ユーザは、編集画面その他を表示中（例えば編集中）に、テープ印刷装置１に対応するプリンタドライバのプロパティ等を示すダイアログボックスにおいて、「オプション」のタブｔｂ１１をクリックする（画面Ｗ１０：以下、データサーバＤＳの表示画面に展開されるウィンドウ画面の状態を画面Ｗｘｘとし、Ｗｘｘのみで説明および図示する。：ただし、前述のテープ印刷装置１の画面Ｄｘｘと異なり、複数の画面を表示画面上に併存（並列または一部重複）して表示可能であり、また、種々の大きさで表示される。）。
【００６８】
この「オプション」のメニュー画面（Ｗ１０）では、例えばテープカットについてのコンボボックスｃｍｂ１を利用して、印刷画像を１つ印刷する毎にテープカットすることを指定したり、あるいは複数の印刷画像の印刷後にカットすることを指定したり、ノーカット（手動カット）を指示したり、などの「テープカット」に関する設定を選択でき、その他、同様に、各種のオプションメニューが規定されていて、ユーザが任意に設定・選択可能になっている。
【００６９】
そして、ユーザが任意設定可能な機能の１つとして、「テープ確認メッセージ」を表示させるか否かのオプション機能があり、ユーザは、図示のように、この「テープ確認メッセージ」のチェックボックスｃｋｂ１をクリックしてチェックを入れることにより、設定テープ幅の値と装着テープ幅の値とを対比して表示させ、確認ができるようになっている。
【００７０】
例えばこの状態で（Ｗ１０）、ユーザにより「印刷開始」のボタンｂｔ１０がクリックされると（あるいは「Ｐ」のキーが押下されると）、「印刷開始」の処理に移行し、「テープ幅設定値」（設定テープ幅）と「装着テープ幅」を表示するとともに、印刷を実行するか否かの選択指示を促す（確認画面：Ｗ２０）。
【００７１】
なお、この状態では、元の編集画面等とダイアログボックス（Ｗ１０）と上記確認画面（Ｗ２０）が併存表示される。一方、上記のダイアログボックスの状態から（Ｗ１０）、ユーザにより「ＯＫ」のボタンｂｔ１１がクリックされると、「テープ確認メッセージ」の設定等を含む各種設定状態を有効にした上で、画面（Ｗ１０）を閉じて、元の編集画面等のみとなる。このため、その後、前述同様、ユーザにより「ファイル」メニューの「印刷」がクリックされると、その時点で、上記の確認画面（Ｗ２０）を表示する。この場合、ダイアログボックス（Ｗ１０）は閉じているので、元の編集画面等と上記確認画面（Ｗ２０）のみが併存表示された状態となる。
【００７２】
そして、上記の確認画面では（Ｗ２０）、設定（想定、仮想）テープ幅ＶＷ＝１８ｍｍを示す「テープ幅設定値  １８ｍｍ」に対して、装着テープ幅ＴＷ＝１８ｍｍを示す「装着テープ幅  １８ｍｍ」が表示されているので、ユーザにより確認後、「ＯＫ」のボタンｂｔ２１がクリックされると、データサーバＤＳでは、確認画面（Ｗ２０）を閉じるとともに、指示された「印刷」の処理に移行して印刷を実行し、例えば図７で前述の文字列「ＡＢＣＤＥ」の印刷画像Ｇ００の印刷画像データとそれに対応するカット指示信号とを、インタフェースＩＦを介してテープ印刷装置１に送信し、テープ印刷装置１では、ＤＳ−ＩＦ１６によって印刷画像データやカット指示信号を受信しながら、その印刷画像Ｇ００を印刷し、後端のフルカットによりラベルＬ００を作成する（図７（ｂ）参照）。
【００７３】
なお、上記の確認画面で（Ｗ２０）、ユーザにより「キャンセル」のボタンｂｔ２２がクリックされると、データサーバＤＳでは、確認画面（Ｗ２０）を閉じるとともに、指示された「印刷」の処理をキャンセルする（点線矢印で図示）。ここで、データサーバＤＳでは、「印刷」を実行したか否かに拘わらず、確認画面（Ｗ２０）を閉じ、「印刷開始」からの場合は、元の編集画面等とダイアログボックス（Ｗ１０）とを併存表示し、「印刷」のメニューからの場合は、元の編集画面等のみの表示に戻ることになる。
【００７４】
ところで、上述の例は、テープ幅設定値と装着テープ幅が一致（図８のＷ２０参照）しているので「設定テープ幅ＶＷ＝装着テープ幅ＴＷ」の一例であるが、本実施形態の印刷システムＳＹＳでは、「設定テープ幅ＶＷ≠装着テープ幅ＴＷ」の場合にも、格別の支障を生じさせることなく印刷を実行（強行）できるようになっている。
【００７５】
すなわち、特にセパレートタイプである印刷システムＳＹＳでは、ユーザが想定（設定）した設定テープ幅ＶＷと、テープ印刷装置１側で用意して実装した装着テープ幅ＴＷとが同一でない（テープ幅が異なる）「設定テープ幅ＶＷ≠装着テープ幅ＴＷ」となる可能性も高く、（特に図１の第１の構成の形態のように）複数のユーザが印刷システムＳＹＳを共同で使用する場合にはその可能性がさらに高まる。本実施形態の印刷システムＳＹＳでは、このような状況下においても、必要に応じて印刷を強行できるので、以下、この点について説明する。
【００７６】
このような場合、例えば上述のダイアログボックス（Ｗ１０）の「印刷開始」ボタンｂｔ１０（あるいは「ファイル」メニューの「印刷」）がクリックされると、例えば図９（ａ）に示すように、上述と同様ではあるが、設定テープ幅ＶＷ＝１８ｍｍを示す「テープ幅設定値  １８ｍｍ」に対して、装着テープ幅ＴＷ＝３６ｍｍを示す「装着テープ幅  ３６ｍｍ」の確認画面を表示する（Ｗ２１）。すなわち、この場合、「設定テープ幅ＶＷ＜装着テープ幅ＴＷ」となっている。
【００７７】
ここで、このままユーザにより「ＯＫ」のボタンｂｔ２１がクリックされると、データサーバＤＳでは、確認画面（Ｗ２１）を閉じるとともに、指示された「印刷」を強行し、例えば同図（ｂ）に示すように、設定テープ幅ＶＷ＝１８ｍｍに合わせて用意された前述同様の文字列「ＡＢＣＤＥ」の印刷画像（基本画像）Ｇ１の印刷画像データ（基本画像データ）の代わりに、その印刷画像Ｇ１を図示下側半分に含みその上側半分に余白幅（設定マージン幅）ＶＭ＝１８ｍｍの余白（を示す余白幅データ）を含む印刷画像（変形画像）Ｇ１０の印刷画像データ（変形画像データ）と、それに対応するカット指示信号とを、テープ印刷装置１に送信し、テープ印刷装置１でそれらを受信しながら、その印刷画像Ｇ１０を印刷し、後端のフルカットによりラベルＬ１０を作成する。
【００７８】
この場合、印刷後あるいはラベル作成後に上側半分の余白幅ＶＭ＝１８ｍｍ分をカットして、想定していた設定テープ幅ＶＷ＝１８ｍｍのラベルを作成することもでき、また、そのカットの目安となる破線等を印刷しても良い。
【００７９】
なお、上記の確認画面（Ｗ２１）でも同様に、「キャンセル」ボタンｂｔ２２がクリックされると、確認画面（Ｗ２１）を閉じ、指示された「印刷」の処理をキャンセルする（点線矢印で図示）。
【００８０】
一方、逆に「設定テープ幅ＶＷ＞装着テープ幅ＴＷ」の場合、上述の「印刷開始」ボタンｂｔ１０等がクリックされると、例えば図１０（ａ）に示すように、設定テープ幅ＶＷ＝３６ｍｍの「テープ幅設定値  ３６ｍｍ」に対して、装着テープ幅ＴＷ＝１８ｍｍの「装着テープ幅  １８ｍｍ」の確認画面を表示する（Ｗ２２）。
【００８１】
ここで、このまま「ＯＫ」のボタンｂｔ２１がクリックされると、確認画面（Ｗ２２）を閉じ、指示された「印刷」を強行し、例えば同図（ｂ）に示すように、設定テープ幅ＶＷ＝３６ｍｍに合わせて用意された印刷画像（基本画像）Ｇ２の印刷画像データ（基本画像データ）の代わりに、その図示下側半分のみから成る印刷画像（変形画像）Ｇ２０の印刷画像データ（変形画像データ）と、それに対応するカット指示信号を送信し、それらに基づいてその印刷画像Ｇ２０を印刷し、後端のフルカットによりラベルＬ２０を作成する。なお、「キャンセル」については同様に行われる（点線矢印で図示）。
【００８２】
すなわち、この場合、設定テープ幅ＶＷ＝３６ｍｍの印刷画像（基本画像）Ｇ２の印刷画像データのうちの、削除幅（装着マージン幅）ＴＭ＝１８ｍｍ分の削除幅データを削除し、結果として装着テープ幅ＴＷ＝１８ｍｍの印刷画像（変形画像）Ｇ２０の印刷画像データを抽出し、それに基づく印刷画像Ｇ２０のラベルＬ２０を作成する。
【００８３】
上述のように、本実施形態の印刷システムＳＹＳでは、データサーバ（供給装置）ＤＳにおいて、テープ印刷装置１から報告された装着テープ幅ＴＷと予め想定（設定）された設定テープ幅ＶＷとのテープ幅が異なるときに、設定テープ幅ＶＷに合うように用意（記憶）された基本画像を示す基本画像データを、装着テープ幅ＴＷに合うように変形して、変形画像を示す変形画像データを作成し、変形画像データを印刷画像データとして、インタフェースＩＦを介してテープ印刷装置１に供給する。なお、テープ幅が同一のときには基本画像データ＝変形画像データなので、どちらを印刷画像データとして供給しても良い。
【００８４】
そして、上述の場合、印刷画像データとして供給される画像データは、両テープ幅が同一のときはもちろんのこと、テープ幅が異なるときにも、装着テープ幅ＴＷに適合する画像データとなるので、格別に支障を生じることはない。すなわち、設定テープ幅ＶＷと異なる装着テープ幅ＴＷ（のテープＴ）しか用意できない場合であっても、そのような事態を予め考慮した印刷画像に変形できるように、画像データの変形方法（印刷画像の変形方法：所定の印刷方法）を定めておくことにより、格別の支障を生じさせることなく印刷を強行可能になる。
【００８５】
また、この印刷システムＳＹＳでは、図９や図１０で前述のように、データサーバＤＳにおいて、印刷指示が行われ且つテープ幅が異なるときに、確認画面（Ｗ２１）や確認画面（Ｗ２２）において、印刷指示をキャンセルしたり、印刷画像の印刷の強行（ＯＫ）を指示すること（印刷強行指示）ができるので、便利であるのに加え、印刷強行指示が行われたときに、変形画像Ｇ１０や変形画像Ｇ２０を示す変形画像データを、印刷画像データとしてテープ印刷装置１に供給するので、装着テープ幅ＴＷに適合する画像データを供給することになり、格別な支障を生じることはない。
【００８６】
なお、上述の実施形態では、「設定テープ幅ＶＷ＜装着テープ幅ＴＷ」の場合、図９（ｂ）の装着テープ幅ＴＷの印刷画像（変形画像）Ｇ１０の、図示上側に余白幅（設定マージン幅）ＶＭ＝１８ｍｍを設けて、図示下側に設定テープ幅ＶＷ＝１８ｍｍの印刷画像（基本画像）Ｇ１を配置して（配置するように画像データを変形して）、印刷したが、図１１（ａ）に示すように、上下双方に余白幅ＶＭ１＝ＶＭ２＝９ｍｍを設けて中央に基本画像Ｇ１を配置した印刷画像（変形画像）Ｇ１１や、図示下側に余白幅ＶＭ＝１８ｍｍを設けて図示上側に基本画像Ｇ１を配置した印刷画像（変形画像）Ｇ１２、などのように配置（変形）して、印刷し、ラベルＬ１１やラベルＬ１２を作成するようにしても良い。
【００８７】
これらの場合、印刷後あるいはラベル作成後に余分な余白幅ＶＭ（＝ＶＭ１＋ＶＭ２）＝１８ｍｍ分をカットして、想定していた設定テープ幅ＶＷ＝１８ｍｍのラベルを作成することもでき、また、そのカットの目安となる破線等を印刷しても良い。
【００８８】
また、上述の基本画像Ｇ１の配置位置を選択できるようにしても良い。この場合、例えば図１２に示すように、確認画面（Ｗ２１：図９と同じ）において「ＯＫ」ボタンｂｔ２１がクリックされ「印刷強行」が指示されたときに、配置位置の選択を促す選択画面を表示する（Ｗ３０）。この選択画面（Ｗ３０）には、図示のように、例えば配置位置の複数の選択肢「上側」「中央」「下側」が表示されるので、ユーザは、対応する各ラジオボタンｒｂ３１〜３３をクリックして、中を黒丸にした選択肢（図示の例では「上側」）を選択できる。ユーザによりこの選択結果が確認された後、「ＯＫ」ボタンｂｔ３１がクリックされると、選択画面（Ｗ３０）を閉じ、確認画面（Ｗ２１）が閉じていなければこれも同時に閉じてから、指示された「印刷」を強行する。一方、キャンセルについては、図９や図１０等で前述したのと同様に行われる（点線矢印で図示）。
【００８９】
上述のように、基本画像Ｇ１に余白を付加した変形画像Ｇ１０等（Ｇ１０、Ｇ１１またはＧ１２）内の基本画像Ｇ１の位置（基本画像の配置位置）を選択できれば、用意できる広幅のテープＴの任意の位置に基本画像Ｇ１を配置して印刷した後に、余分な余白幅ＶＭ等をカットすることにより、結果として所望の幅の印刷画像Ｇ１のラベルを作成できる。また、この場合、複数の選択肢には、各画像のテープ幅方向の一端である基準端（例えば図示下側端）を一致させる基準端側位置（「下側」）、他端である対向端（例えば図示上側端）を一致させる対向端側位置（「上側」）と、各画像の中心線を一致させる中央位置（「中央」）と、が含まれるので、これらのいずれかを選択するだけで、所望の配置位置の変形画像データを容易に作成でき、所望の印刷画像を容易に印刷できる。
【００９０】
ここで、図１２で上述の例では、選択画面の選択（指示）方法をラジオボタンのタイプとしたが、コンボボックスのタイプ（図８のｃｍｂ１参照）や、リストボックスのタイプ（図１５のｌｂ４参照）でも良い。また、上述の例では、「印刷強行」が指示された時点で選択画面を表示して選択したが、例えば編集画面等のメニュー等から同様の選択画面を表示させて選択できるようにしても良いし、「印刷強行」の指示前の選択・設定をデフォルト設定とし、「印刷強行」の指示時に再選択可能にしても良いし、デフォルト指定がされていないときのみ、「印刷強行」の指示時に選択できるようにしても良い。
【００９１】
また、上述の例では、データサーバ（供給装置）ＤＳ側で、基本画像Ｇ１の配置位置を選択したが、テープ印刷装置１側で選択できるようにしても良い。この場合、例えば図１３に示すように、テキスト編集画面等を表示した状態から（Ｄ１０：図７と同じ）、ユーザにより印刷位置キーが押されると、印刷位置（この場合、基本画像の配置位置）の選択画面を表示する（Ｄ２０）。ユーザはこの状態から（Ｄ２０）、カーソル指定により所望の選択肢を選択表示（カーソル操作（カーソルＫの移動操作）により各選択肢を白黒反転表示：Ｄ２０では「上側」、Ｄ２１では「中央」、Ｄ２２では「下側」を選択表示）させ（Ｄ２０〜Ｄ２２）、選択キーを押すことにより確定でき、いずれかを選択して確定後には、元のテキスト編集画面等に戻る（Ｄ２３：Ｄ１０と同じ）。
【００９２】
上述の場合、テープ印刷装置１においても、基本画像Ｇ１の配置位置を、複数の選択肢から選択でき、その選択結果をデータサーバ（供給装置）ＤＳに報告できるので、テープ印刷装置１側の選択に従った配置位置の印刷画像を印刷することができる。また、データサーバＤＳ側とテープ印刷装置１側の双方で選択できるようにしても良い。なお、この場合、データサーバＤＳ側の選択結果とテープ印刷装置１側の選択結果とのどちらを優先するかは、仕様上、任意に決めれば良く、一方を他方で選択されなかった場合のデフォルト指定の選択としても良いし、優先順位をつけず直近に選択した側の選択結果を採用する仕様にしても良い。
【００９３】
なお、上述の実施形態では、「設定テープ幅ＶＷ＞装着テープ幅ＴＷ」の場合、図１０（ｂ）の設定テープ幅ＶＷ＝３６ｍｍに合わせて用意された印刷画像（基本画像）Ｇ２の印刷画像データ（基本画像データ）の代わりに、その図示上側の削除幅（装着マージン幅）ＴＭ＝１８ｍｍ分の削除幅データを削除することにより、あるいは図示下側から抽出して、装着テープ幅ＴＷ＝１８ｍｍの印刷画像（変形画像）Ｇ２０の印刷画像データ（変形画像データ）を供給（送信）して印刷した。しかし、この他、例えば図１４（ａ）に示すように、上下双方の削除幅ＴＭ１＝ＶＭ２＝９ｍｍ分を削除しあるいは図示中央から抽出して、基本画像Ｇ２の中央部に該当する装着テープ幅ＴＷ＝１８ｍｍの変形画像Ｇ２１を印刷したり、同図（ｂ）に示すように、図示下側の削除幅ＴＭ＝１８ｍｍ分を削除しあるいは図示上側から抽出して、基本画像Ｇ２の図示上側の装着テープ幅ＴＷ＝１８ｍｍの変形画像Ｇ２２を印刷し、これらのラベルＬ２１やラベルＬ２２を作成しても良い。
【００９４】
また、上述の基本画像Ｇ２からの変形画像の抽出位置を選択できるようにしても良い。この場合、例えば図１５に示すように、確認画面（Ｗ２２：図１０と同じ）において「ＯＫ」ボタンｂｔ２１がクリックされ「印刷強行」が指示されたときに、抽出位置の選択を促す選択画面を表示する（Ｗ４０）。この選択画面（Ｗ４０）には、図示のように、例えば抽出位置の複数の選択肢「上側」「中央」「下側」が並べられたリストボックスｌｂ４が表示されるので、ユーザは、カーソル指定（カーソルＫの移動による白黒反転表示で指定）により所望の選択肢（図示の例では「上側」）を選択できる。ユーザによる選択・確認後、「ＯＫ」ボタンｂｔ４１がクリックされると、選択画面（Ｗ４０）を閉じ、確認画面（Ｗ２２）が閉じていなければこれも同時に閉じてから、指示された「印刷」を強行する。キャンセルについては、前述と同様に行われる（点線矢印で図示）。
【００９５】
ここで、図１５で上述の例では、選択画面をリストボックスのタイプとしたが、コンボボックス（図８のｃｍｂ１参照）やラジオボタン（図１２のｒｂ３１〜３３参照）のタイプでも良い。また、表示タイミングも、編集画面等のメニュー等から直接表示させて選択できるようにしても良いし、事前にデフォルト設定として選択指定できるようにしても良いし、「印刷強行」の指示時に再選択可能にしても良いし、デフォルト指定がされていないときのみ、「印刷強行」の指示時に選択できるようにしても良い。また、変形画像の抽出位置についても、テープ印刷装置１側で選択可能としても良い。この場合、変形画像の抽出位置の選択結果をデータサーバ（供給装置）ＤＳに報告できるので、テープ印刷装置１側の選択に従った抽出位置の印刷画像（変形画像）を印刷できる。また、データサーバＤＳ側とテープ印刷装置１側の双方で選択できるようにしても良く、その場合の優先順位は、仕様上、任意に決めれば良く、一方をデフォルト指定としても良いし、優先順位をつけずに直近選択側の選択結果を採用しても良い。
【００９６】
上述のように、基本画像Ｇ２から抽出する変形画像Ｇ２０等（Ｇ２０、Ｇ２１またはＧ２２）の幅方向の位置（変形画像の抽出位置）を選択できれば、用意できる狭幅のテープに、所望の印刷画像（この場合、基本画像）Ｇ２の幅方向の異なる位置の一部ずつを抽出して、複数枚に印刷して貼ることにより、結果として所望の幅の印刷画像Ｇ２のテープ（またはそれをカットしてラベル）を作成できる。また、この場合、複数の選択肢には、各画像のテープ幅方向の一端である基準端（例えば図示下側端）を一致させる基準端側位置（「下側」）、他端である対向端（例えば図示上側端）を一致させる対向端側位置（「上側」）と、各画像の中心線を一致させる中央位置（「中央」）と、が含まれるので、これらのいずれかを選択するだけで、所望の抽出位置の変形画像データを容易に作成でき、所望の印刷画像を容易に印刷できる。
【００９７】
なお、上述の変形画像の抽出を行う場合、設定テープ幅ＶＷ≧装着テープ幅ＴＷなので、設定テープ幅ＶＷ÷装着テープ幅ＴＷ（以下「設定テープ幅／装着テープ幅」）≧１となる。上述の例では、設定テープ幅／装着テープ幅＝３６／１８＝２となる。このため、上述の例および１≦設定テープ幅／装着テープ幅≦２の例だけに限定すれば、選択肢は「上側」「下側」だけにしても良く、この場合、例えば「上側」を選択して印刷後、「下側」を選択して２枚目を印刷すれば、２枚を隣接してあるいは一部重複して貼ることにより、所望の設定テープ幅ＶＷ（＝３６ｍｍ）の印刷画像Ｇ２が印刷されたラベルとして作成でき、貼付できる。
【００９８】
また、この意味で、例えば「上側」を「１／２」（２分の１）、「下側」を「２／２」（２分の２）のように表現しても良いし、逆に「下側」を「１／２」、「上側」を「２／２」のように表現しても良い。同様に、上述の「上側」（対向端側位置）、「中央」（中央位置）、「下側」（基準端側位置）のそれぞれを、ｎ＝３のときの「１／３」（３分の１）、「２／２」（３分の２）、「３／３」（３分の３）のように表現しても良いし、逆順にしても良い。もちろん、これを、上述の設定テープ幅／装着テープ幅＝３６／１８＝２の例に対して適用しても良く、この「１／３」〜「３／３」を順次選択して印刷し、ラベルを作成すれば、一部重複して隙間なく貼ることにより、所望の設定テープ幅ＶＷ（＝３６ｍｍ）の印刷画像Ｇ２が印刷されたラベルとして作成でき、貼付できる。
【００９９】
ここで、ｎ≧設定テープ幅／装着テープ幅となる自然数ｎを考え、基本画像の幅をｎ個に均等分割すれば、各分割画像の幅は設定テープ幅／ｎなので、必然的に装着テープ幅以下の幅となり、装着テープ幅を有する変形画像に配置可能な幅となる。この場合のｎは、設定可能な設定テープ幅ＶＷの最大値と、装着可能な装着テープ幅の最小値等から、予め定めておいても良いし、設定テープ幅ＶＷが設定され、且つ、装着テープ幅ＴＷが報告（検出）されて、双方が決定した時点で定めても良いし、「１／ｎ」等（実際には１／３等）の選択肢を示して選択するための、図１５で前述の画面（Ｗ４０）等と同様の選択画面を表示する直前に定めても良い。
【０１００】
これらの場合、変形画像の抽出位置の選択肢には、ｎ個の分割画像のそれぞれを、変形画像内に配置するように指定可能なｎ個の選択肢が含まれるので、これらを順次選択して印刷すれば、用意できる狭幅のテープＴに、所望の印刷画像の幅方向の少なくともｎ分の１（１／ｎ）ずつを抽出して、ｎ枚に印刷することになる。このため、そのｎ枚の貼合せにより、結果として所望の印刷画像の全幅分を印刷したテープ（またはそれをカットしてラベル）を、作成できる。
【０１０１】
なお、上述の実施形態では、「設定テープ幅ＶＷ≠装着テープ幅ＴＷ」の場合のうち、「設定テープ幅ＶＷ＜装着テープ幅ＴＷ」では、基本画像を配置して余白幅を付加して装着テープ幅分まで拡幅（幅方向付加）し、「設定テープ幅ＶＷ＞装着テープ幅ＴＷ」では、基本画像から変形画像の幅分を抽出（幅方向抽出）したが、この他、「設定テープ幅ＶＷ＜装着テープ幅ＴＷ」では、基本画像を装着テープ幅ＴＷ分まで拡大し、「設定テープ幅ＶＷ＞装着テープ幅ＴＷ」では、縮小することもできる。また、この場合の拡大／縮小は、幅方向のみの拡大／縮小でも良いし、長手方向も含めた（すなわち印刷長さやラベル長さに反映される）拡大・縮小でも良い。
【０１０２】
また、前者を「幅方向付加／抽出」による変形方法とし、後者を「拡大／縮小」による変形方法とすると、両者を採用可能として、選択できるようにしても良い。この場合、例えば図１６（ａ）に示すように、ラジオボタンｒｂ５１〜５２等で選択可能な選択画面（Ｗ５０）などを表示して選択できる。また、この選択画面（Ｗ５０）も、「印刷強行」が指示された時点で表示しても良いし、元の編集画面等のメニュー等から同様の選択画面を表示させて選択できるようにしても良いし、「印刷強行」の指示前の選択・設定をデフォルト設定とし、「印刷強行」の指示時に再選択可能にしても良いし、デフォルト指定がされていないときのみ、「印刷強行」の指示時に選択できるようにしても良い。
【０１０３】
また、データサーバ（供給装置）ＤＳ側だけでなく、テープ印刷装置１においても、例えばテキスト編集画面等を表示した状態から特定のキー操作等により、図１６（ｂ）に示すような選択画面を表示して（Ｄ５０）、カーソル操作等により選択できるようにしても良い。この場合、テープ印刷装置１においても、上述の画像の拡大・縮小による変形方法（「拡大／縮小」）と、画像幅の抽出・付加による変形方法（「幅方向付加／抽出」）とのいずれかを選択でき、その選択結果をデータサーバ（供給装置）ＤＳに報告できるので、いずれかの変形方法を、テープ印刷装置１側の選択に従って採用できる。また、この場合も、データサーバＤＳとテープ印刷装置１との双方で選択可能とするときの優先順位は、仕様上、任意に決めれば良く、一方をデフォルト指定としても良いし、優先順位をつけずに直近選択側の選択結果を採用しても良い。
【０１０４】
なお、上述の実施形態では、図８のダイアログボックス（Ｗ１０）において、「テープ確認メッセージ」を有効にしたため、図９や図１０で前述の確認画面（Ｗ２１、Ｗ２２）を表示し、印刷の強行（ＯＫ）とキャンセルとを選択できたが、「テープ確認メッセージ」のチェックを外して無効にしたときの、「設定テープ幅ＶＷ≠装着テープ幅ＴＷ」の場合の処理については、「印刷強行」か「キャンセル」かのいずれかを、仕様上規定しておけば良い。また、印刷の指示（「印刷開始」ボタンによるものとメニューの「印刷」によるものを含む）に応じて、常時あるいは「設定テープ幅ＶＷ≠装着テープ幅ＴＷ」の場合のみ、「印刷強行」か否かの選択指示を促す確認画面を表示するようにしても良い。この場合の確認画面は、例えば前述の確認画面（Ｗ２０〜Ｗ２２）等からテープ幅に関する表示を除いたもの、すなわち「印刷強行」か否かの問い合わせ表示とその問に対する「ＯＫ」「キャンセル」のボタンのみのようなもので良い。
【０１０５】
また、「印刷強行」か「キャンセル」かを予め選択して指定できるようにしても良い。また、予め選択する方法と上記の「印刷強行」の確認画面とを併用する場合の優先順位は、仕様上、任意に決めれば良く、一方をデフォルト指定としても良いし、優先順位をつけずに直近選択側の選択結果を採用しても良い。これらの場合、例えば図１７（ａ）に示すように、ラジオボタンｒｂ６１〜６２等で選択可能な選択画面（Ｗ６０）などを表示して選択できる。また、この選択画面（Ｗ６０）は、「印刷」が指示された時点で表示しても良いし、元の編集画面等のメニュー等から直接表示させて選択できるようにしても良い。
【０１０６】
また、データサーバ（供給装置）ＤＳ側だけでなく、テープ印刷装置１においても、例えば図１７（ｂ）に示すような選択画面を表示して（Ｄ６０）、カーソル操作等により選択できるようにしても良い。この場合、テープ印刷装置１においても、「印刷強行」か否かを選択でき、その選択結果をデータサーバ（供給装置）ＤＳに報告できるので、テープ印刷装置１側の選択に従って採用できる。なお、この場合、データサーバＤＳ側とテープ印刷装置１側の双方で選択可能とするときの優先順位は、仕様上、任意に決めれば良く、一方をデフォルト指定としても良いし、優先順位をつけずに直近選択側の選択結果を採用しても良い。
【０１０７】
なお、上述の実施形態では、データサーバＤＳ側で印刷画像データ（あるいはその元になるテキストデータ）を用意するとし、用意の仕方として、データサーバＤＳ内で印刷画像データを作成する場合と、記憶媒体等からロードする場合等を挙げたが、後者の場合、例えば図２（第２の構成）に示すように、外部からコンパクトディスク（ＣＤ、ＣＤ−ＲＯＭ）５０１等により既に作成済みの（基本）画像データとして供給することもでき、この場合、ＣＤ−ＲＯＭ５０１を入れ替えるだけで種々の基本画像データを用意でき、あるいは目的等に合わせて変更できる。
【０１０８】
また、各種処理を行うための制御プログラム（処理プログラム：専用のアプリケーションプログラム）についても、データサーバＤＳ内に元から準備（記憶）しておいても良いし、画像データ等を含むファイル等とともにあるいは単独でＣＤ−ＲＯＭ５０１内に記憶しておき、それを（ダウンロード等してから）起動できるようにしても良い。また、この場合、一般的なオペレーションシステム（ＯＳ）で実行可能なアプリケーションにしておけば、そのＯＳを有するパソコン等にＣＤ−ＲＯＭ５０１を装着するだけで、利用できる。
【０１０９】
なお、上述の例では、ＣＤ−ＲＯＭを例に挙げたが、ＦＤ、ＭＯ、ＤＶＤ等、その他の記憶媒体を利用しても良い。また、図２の構成でなく、図１（第１の構成）のようにネットワークＮＷを利用する場合には、そのネットワークＮＷを介してあるいはテープ印刷装置１の直接接続の装置（供給装置：図示の例ではＰＣ１またはＴＡ）を介して、そのネットワークＮＷに接続された各種の他の装置（図示の例ではＷＳ２やＷＳ３等）から各種データファイルや各種プログラムを受信できるので、各種の装置から受信するだけで、新たな各種のデータファイルやプログラムを記憶（用意）したり、変更したりすることができる。また、これらの場合、データサーバＤＳ側のプログラムには、その一部をテープ印刷装置１側にダウンロードして利用可能なテープ印刷装置１側のプログラムを含ませることもできる。
【０１１０】
また、上述の実施形態では、キーボード３やディスプレイ４等を有する操作部１１を備えたテープ印刷装置１を例示したが、全てまたは殆どの動作をデータサーバＤＳからの指示に従って行うような場合、テープ印刷装置１側に操作部１１等を要しないので、それらの機能を省略した構成とすることもできる。例えばテープ印刷装置ではあっても、図１８および図１９に示すテープ印刷装置１Ｃのように、操作部１１等を省略した構成とすることもできる。
【０１１１】
そして、上述の印刷システムＳＹＳの各種処理方法（各種のラベル作成方法やデータ処理方法等）は、プログラム処理可能な各種印刷システムによって処理されるプログラムとしても適用でき、その種のプログラムを記憶するための上述の各種の記憶媒体等にも適用でき、この種のプログラムを記憶しておいて、あるいは記憶媒体等から読み出して、あるいはネットワークを介してダウンロード等して、実行することにより、セパレートタイプの印刷システムにおいて、印刷のために用意された画像データに対する設定テープ幅と、実装されたテープの装着テープ幅が異なる場合であっても、すなわち、データを供給する供給装置で設定した設定テープ幅と、テープ印刷装置に装着した装着テープ幅とが異なる場合であっても、格別の支障を生じさせることなく印刷を強行可能になる、などの効果が得られる。もちろん、上述した以外にも、要旨を逸脱しない範囲で、適宜変更も可能である。
【図面の簡単な説明】
【０１１２】
【図１】本発明の一実施形態に係る印刷システムの第１の構成例を示す説明図である。
【図２】第２の構成例を示す、図１と同様の説明図である。
【図３】図１または図２のテープ印刷装置の外観斜視図である。
【図４】テープ印刷装置の蓋を開けた状態の斜視図である。
【図５】テープ印刷装置の制御系を示す概略ブロック図である。
【図６】テープ印刷装置の制御全体の概略処理を示すフローチャートである。
【図７】印刷をするときの一例を示す表示画面およびその表示画面上での典型的な操作の説明図、並びに、その印刷による印刷結果の一例を示す説明図である。
【図８】データサーバのウィンドウ画面の一例として、プリンタドライバのダイアログボックスおよびテープ幅＆印刷実行の確認画面の一例を示す説明図である。
【図９】テープ幅設定値と装着テープ幅が異なる場合の、テープ幅＆印刷実行の確認画面およびそれに対応する印刷結果の一例を示す説明図である。
【図１０】別の一例についての、図９と同様の説明図である。
【図１１】図９の確認画面に対応する印刷結果の別の例を示す説明図である。
【図１２】図９の確認画面に対応して基本画像の配置位置の選択画面の一例を示す説明図である。
【図１３】テープ印刷装置において図１２と同じ選択を行うための選択画面の一例を示す説明図である。
【図１４】図１０の確認画面に対応する印刷結果の別の例を示す説明図である。
【図１５】図１０の確認画面に対応して変形画像の抽出位置の選択画面の一例を示す説明図である。
【図１６】データサーバおよびテープ印刷装置におけるデータ変形方法の選択画面の一例を示す説明図である。
【図１７】データサーバおよびテープ印刷装置において、テープ幅不一致＆非表示時の印刷強行か印刷キャンセルかを選択する選択画面の一例を示す説明図である。
【図１８】第３の構成例を示す、図１と同様の説明図である。
【図１９】図１８の第３の構成例についての、図５と同様の説明図である。
【符号の説明】
【０１１３】
１      テープ印刷装置
２      装置ケース
３      キーボード
４      ディスプレイ
７      印刷ヘッド
１１    操作部
１２    印刷部
１３    切断部
１４    検出部
１５    駆動部
１６    データ供給インタフェース（ＤＳ−ＩＦ）
２０    制御部
Ｃ      テープカートリッジ
ＤＳ    データサーバ（供給装置）
Ｄ〜    テープ印刷装置の表示画面の例
Ｇ〜    印刷画像の例
ＩＦ    インタフェース
Ｋ      カーソル
ＮＷ    ネットワーク
ＰＣ〜  パソコン
Ｒ      インクリボン
ＳＹＳ  印刷システム
Ｔ      テープ
ＴＡ    ターミナルアダプタ
Ｗ〜    データサーバ（供給装置）の表示画面の例
ＷＳ〜  ワークステーション
【図１】
2005078128.tif 000003
【図２】
2005078128.tif 000004
【図３】
2005078128.tif 000005
【図４】
2005078128.tif 000006
【図５】
2005078128.tif 000007
【図６】
2005078128.tif 000008
【図７】
2005078128.tif 000009
【図８】
2005078128.tif 000010
【図９】
2005078128.tif 000011
【図１０】
2005078128.tif 000012
【図１１】
2005078128.tif 000013
【図１２】
2005078128.tif 000014
【図１３】
2005078128.tif 000015
【図１４】
2005078128.tif 000016
【図１５】
2005078128.tif 000017
【図１６】
2005078128.tif 000018
【図１７】
2005078128.tif 000019
【図１８】
2005078128.tif 000020
【図１９】
2005078128.tif 000021